(57)【要約】【課題】  全体を軽量化できてコストを低減させることができ、しかもコンパクトに折畳んで収納，運搬を行うことができ、現場で容易に組み立てて使用できる冷蔵ケースを提供する。【解決手段】  上面に設けられた冷蔵機３からの冷気により、内部で食品等を冷蔵できる冷蔵ケース１であって、この冷蔵ケース１は、冷蔵機３を上面に固設して支持し得る組み立て可能なフレーム２と、このフレーム２とは独立して構成され冷蔵ケース１の外壁を形成する複数枚の連結可能な断熱パネル４で構成されている。【選択図】  図５
2006153309.tif 000002
【特許請求の範囲】
【請求項１】
上面に設けられた冷蔵機からの冷気により、内部で食品等を冷蔵できる冷蔵ケースであって、該冷蔵ケースは前記冷蔵機を支持し得る組み立て可能なフレームと、冷蔵ケースの外壁を形成する前記フレームとは別体の断熱パネルで構成されていることを特徴とする冷蔵ケース。
【請求項２】
前記フレームは、折畳み状態から門型状に組み立て可能で、上面に前記冷蔵機を載置可能に構成されているとともに、前記断熱パネルは、連結可能な複数枚のパネルで構成されていることを特徴とする請求項１に記載の冷蔵ケース。
【請求項３】
折畳み状態から門型状にフレームを組み立てる過程で、該フレーム上面に冷蔵機を固設し、組み立てたフレーム内側に複数枚のパネルを連結状に建て付けて、内部に冷蔵空間を形成させることを特徴とする冷蔵ケースの設置方法。
【発明の詳細な説明】
【技術分野】
【０００１】
本発明は、店舗内等で簡易に組み立てて使用できる冷蔵ケース及びその設置方法に関するものである。
【背景技術】
【０００２】
従来、断熱材で、内部に食品等を入れることのできる空間を形成させ、断熱材の内部に冷気を吹き込むことのできる冷蔵機を備えた冷蔵ケースが存在する。
【特許文献１】特開平１１−０５１５３３号公報
【発明の開示】
【発明が解決しようとする課題】
【０００３】
従来の冷蔵ケースにおいては、冷蔵機は、冷媒を圧縮させるコンプレッサーや配管類を含むため重量が大であり、この冷蔵機を冷蔵ケースを構成する断熱材で支持している構造であるため、重量物である冷蔵機の荷重を支えるためには、冷蔵ケースを構成する断熱材を強固な構造とする必要があり、冷蔵ケース全体の重量が増し、コストが大となるという問題点があった。
【課題を解決するための手段】
【０００４】
本発明は上記従来の問題点に鑑み案出したものであって、冷蔵機の荷重を良好に支持でき、全体を軽量且つコンパクトに形成することができて、現場で容易に組み立てて設置できる冷蔵ケース及びその設置方法を提供することを目的とし、その請求項１は、上面に設けられた冷蔵機からの冷気により、内部で食品等を冷蔵できる冷蔵ケースであって、該冷蔵ケースは前記冷蔵機を支持し得る組み立て可能なフレームと、冷蔵ケースの外壁を形成する前記フレームとは別体の断熱パネルで構成されていることである。
【０００５】
また請求項２は、前記フレームは、折畳み状態から門型状に組み立て可能で、上面に前記冷蔵機を載置可能に構成されているとともに、前記断熱パネルは、連結可能な複数枚のパネルで構成されていることである。
【０００６】
また、請求項３の冷蔵ケースの設置方法は、折畳み状態から門型状にフレームを組み立てる過程で、該フレーム上面に冷蔵機を固設し、組み立てたフレーム内側に複数枚のパネルを連結状に建て付けて、内部に冷蔵空間を形成させることである。
【発明の効果】
【０００７】
本発明の冷蔵ケースは、冷蔵機を支持し得る組み立て可能なフレームと、冷蔵ケースの外壁を形成する断熱パネルとが別体で構成されていることにより、重量物である冷蔵機はフレームでその荷重を良好に支持することができ、しかも、このフレームは組み立て可能であるため、コンパクトに収納しておき、現場で容易に組み立てることができるものとなる。
また、フレームとは別体の断熱パネルを用いて冷蔵ケースの外壁が形成されるため、断熱パネルは冷蔵機の重量を支える必要がないため、材質の強度に制約がなくなり、断熱パネル材として、発泡スチロール，発泡ウレタン，ビニール，ダンボール等の何れのものも使用することができ、冷蔵ケース全体を軽量化させるとともにコストも低減させることができるものとなる。
【０００８】
また、フレームは、折畳み状態から門型状に組み立て可能で、上面に冷蔵機を載置可能に構成されているとともに、断熱パネルは、連結可能な複数枚のパネルで構成されていることにより、現場にフレームを折畳み状態として搬送し、現場で門型状に組み立てて用いることができ、また断熱パネルは複数のパネルを現場で連結することができるため、重ねた状態としてコンパクトな形状で現場へ搬送することができ、現場で容易に組み立てて使用できるものとなる。
【０００９】
また、折畳み状態から門型状にフレームを組み立てる過程で、フレーム上面に冷蔵機を固設し、組み立てたフレーム内側に複数枚のパネルを連結状に建て付けて、内部に冷蔵空間を形成させる設置方法においては、現場でフレームを折畳み状態から門型状に組み立てる際に、フレームの上面に冷蔵機を固設し、その後に門型状に組み立てたフレームの内側で複数のパネルを連結して、一人で簡単に冷蔵ケースを組み立てでき、極めて短時間で容易に冷蔵ケースを設置することができるものとなる。
【実施例】
【００１０】
以下、本発明の実施例を図面に基づいて説明する。
冷蔵ケース１は、図５に示すように、フレーム２と、このフレーム２の上面に固設される冷蔵機３と、フレーム２の内側に建て付けられて内部に冷蔵空間Ｓを形成する断熱パネル４で構成されている。
【００１１】
この冷蔵ケース１は、例えばスーパーマーケット等の店内において、任意の場所で組み立てて、冷蔵空間Ｓ内に、卵，ケーキ，チョコレート，おせち料理等の食品を入れて冷蔵することができ、また、その他、ビール，飲料水等や薬品等を収納空間Ｓ内に入れて冷蔵できるものである。
この冷蔵ケース１を構成するフレーム２は、図１に示すような折畳み状態で収納しておくことができ、図１の状態で搬送して、現場で容易に一人の作業員により組み立てできるものである。
【００１２】
図２，図３，図４には、現場でフレーム２を組み立てる状態を順次示している。
フレーム２は、角パイプで構成されており、水平状の上面枠２ａは、一対の縦パイプ２１，２１の両端側を横パイプ２２，２２で連結して長方形状に枠組み形成されており、中央部には、横パイプ２２，２２と平行状に間隔をおいて横パイプ２２ａ，２２ｂが一体化されている。
【００１３】
また、上面枠２ａの縦パイプ２１，２１の両端側には、金具で折畳み可能に連結されて上脚２ｂ，２ｂが設けられており、この左右の上脚２ｂ，２ｂの下端は、それぞれ横パイプ２３で枠状に形成されている。この上脚２ｂ，２ｂの下端には、金具を介し折畳み可能に下脚２ｃ，２ｃが連結されており、この下脚２ｃ，２ｃの上端は横パイプ２４で連結されている。
なお、上面枠２ａと上脚２ｂ，２ｂを折畳み可能に連結する金具には、フック等のロック機構が設けられており、また上脚２ｂと下脚２ｃを連結する金具にも、ロック機構が設けられている。
【００１４】
先ず図２に示すように、上面枠２ａの両端側の上脚２ｂ，２ｂを垂下状にして、現場の床上に立設し、この図２の状態で、上面枠２ａの横パイプ２２ａ，２２ｂ上に、冷蔵機３を金具等を用いて載置状に固定する。
冷蔵機３を上面枠２ａに固定した後に、図３に示すように、片側の下脚２ｃを上脚２ｂに対し下方側へ回動させて、下脚２ｃを上脚２ｂと連続した垂下状とし、金具のロック機構でロック状態とする。
【００１５】
その後に、他方側の下脚２ｃを同様に上脚２ｂに対し下方側へ回転させて、金具でロック状態とすると、図４に示すように、フレーム２は門型状に立設された状態となる。この作業は、一人の作業者により行うことができるものである。
図４の状態にフレーム２を組み立てた後に、このフレーム２の内側に、複数枚の断熱パネル４を連結させ、箱状に組み立てて、冷蔵ケース１の外壁を複数の断熱パネル４，４で形成させて内部に冷蔵空間Ｓを形成させる。
なお、上面側にも断熱パネル４が連結されるが、冷蔵機３の下面側だけは冷蔵空間Ｓ側に開口させておく。即ち、冷蔵機３の下面には、冷気を吹き出す吹出口と、冷蔵空間Ｓ内の空気を吸い込む吸込口が形成されているためである。なお、冷蔵機３の側面には、排気口が形成されている。
【００１６】
なお、断熱パネル４は、例えば、発泡ウレタンの内側にアルミ箔が貼着され、発泡ウレタンの外側に樹脂板が貼着された構造の、１枚が５ｋｇ程度の重さのパネル材で構成することができる。
その他、断熱パネル４は、発泡スチロール製やダンボール製，ビニール製など、良好な断熱効果が得られるものであれば良く、フレーム２とは独立したものであり、強度は要求されることがないため、軽量な素材で構成することができ、現場で容易に連結して内部に冷蔵空間Ｓを形成させることができるものである。
なお、冷蔵空間Ｓの底側には断熱シート等を敷設しても良く、更には、組み立てられた断熱パネル４の外側にシートを被せて、更に良好な断熱構造としても良い。
【００１７】
このように、店舗内の任意の箇所で容易にフレーム２を組み立て、フレーム２の内側に複数枚の断熱パネル４を連結して、内部に冷蔵空間Ｓを形成させることができ、冷蔵機３を運転させて、冷蔵空間Ｓ内の空気を循環させ、冷蔵空間Ｓ内を所望の温度に保持することができ、冷蔵空間Ｓ内には、食品，薬品等を入れて、店舗内で食品等を冷蔵しながら陳列できるものとなる。
【００１８】
このように本例では、重量物である冷蔵機３は、フレーム２でその荷重を支持することができ、別体の軽量な断熱パネル４を内側に連結して、良好に冷蔵ケース１を設置することができ、全体が軽量化できるとともに、コストを低減させることができ、しかも運搬等も図１のようにフレーム２を折畳んだ状態とし、また複数の断熱パネル４は積み重ねて収納でき、極めてコンパクトな形態で収納及び運搬を行うことができるものとなる。
【図面の簡単な説明】
【００１９】
【図１】フレームの折畳み状態の斜視構成図である。
【図２】フレームの上脚のみを立設させた状態の斜視構成図である。
【図３】上面に冷蔵機を固設した後に片側の下脚を立設させた状態の斜視構成図である。
【図４】両側の下脚を立設させて門型状にフレームを組み立てた状態の斜視構成図である。
【図５】更にその後に内側に複数枚の断熱パネルを連結して設置された冷蔵ケースの斜視構成図である。
【符号の説明】
【００２０】
１  冷蔵ケース
２  フレーム
２ａ  上面枠
２ｂ  上脚
２ｃ  下脚
３  冷蔵機
４  断熱パネル
２１  縦パイプ
２２  横パイプ
２２ａ，２２ｂ  横パイプ
２３，２４  横パイプ
Ｓ  冷蔵空間
【図１】
2006153309.tif 000003
【図２】
2006153309.tif 000004
【図３】
2006153309.tif 000005
【図４】
2006153309.tif 000006
【図５】
2006153309.tif 000007